(57)【要約】【課題】被記録媒体を移動式ベルトに載置して搬送する搬送機構を備える記録装置において移動式ベルトの洗浄を簡単な構成できれいに実行する。【解決手段】被記録媒体Ｐを移動式ベルト１０に載置して搬送する搬送機構３と、前記被記録媒体Ｐに記録する記録ヘッド７と、複数の第１洗浄ローラー１２が回転軸方向Ｄに連結されて構成された第１洗浄ユニット１３を有する前記移動式ベルト１０の洗浄機構１５と、複数の第２洗浄ローラー２１が前記回転軸方向Ｄと沿う方向を回転軸の方向として連結されて構成された第２洗浄ユニット２２を有する前記第１洗浄ユニット１３の洗浄機構２５と、を備え、前記第１洗浄ユニット１３の洗浄機構２５は、前記複数の第１洗浄ローラー１２同士の連結部分Ｓ１に前記第２洗浄ローラー２１が接触するように配置されていることを特徴とする。【選択図】図３
2014124571.tif 000002
【特許請求の範囲】
【請求項１】
被記録媒体を移動式ベルトに載置して搬送する搬送機構と、
前記被記録媒体に記録する記録ヘッドと、
複数の第１洗浄ローラーが回転軸方向に連結されて構成された第１洗浄ユニットを有する前記移動式ベルトの洗浄機構と、
複数の第２洗浄ローラーが前記回転軸方向と沿う方向を回転軸の方向として連結されて構成された第２洗浄ユニットを有する前記第１洗浄ユニットの洗浄機構と、を備え、
前記第１洗浄ユニットの洗浄機構は、前記複数の第１洗浄ローラー同士の連結部分に前記第２洗浄ローラーが接触するように配置されていることを特徴とする記録装置。
【請求項２】
請求項１に記載の記録装置において、
前記第１洗浄ユニットは、前記回転軸方向が前記移動式ベルトの移動方向に対して斜め方向になるように、前記搬送機構に対して配置されていることを特徴とする記録装置。
【請求項３】
請求項１又は２に記載の記録装置において、
前記第１洗浄ユニットは、前記移動式ベルトの移動の際に前記複数の第１洗浄ローラー同士の間隔に起因する該移動式ベルトに対する非接触部分を生じさせない角度で、前記搬送機構に対して配置されていることを特徴とする記録装置。
【請求項４】
請求項１から３のいずれか１項に記載の記録装置において、
前記移動式ベルトは、グルーベルトであることを特徴とする記録装置。
【請求項５】
請求項１から４のいずれか１項に記載の記録装置において、
前記第１洗浄ユニットは、前記移動式ベルトの洗浄の際、前記移動式ベルトのベルト面に沿って前記回転軸方向に移動可能であることを特徴とする記録装置。
【請求項６】
請求項１から５のいずれか１項に記載の記録装置において、
前記被記録媒体の搬送方向と交差する方向に前記記録ヘッドを往復走査させて記録する記録機構を備え、
前記搬送機構は、前記記録ヘッドの往復走査に対応して前記被記録媒体を間欠搬送可能であって、
前記第１洗浄ユニットは、前記搬送機構による前記間欠搬送に対応して間欠回転可能であることを特徴とする記録装置。
【請求項７】
請求項１から６のいずれか１項に記載の記録装置において、
前記第１洗浄ユニット用の第１洗浄液と、
前記第２洗浄ユニット用の第２洗浄液と、を備えることを特徴とする記録装置。
【請求項８】
請求項７に記載の記録装置において、
前記第１洗浄液は水であり、
前記第２洗浄液は水溶性溶剤を含有する水溶液であることを特徴とする記録装置。
【発明の詳細な説明】
【技術分野】
【０００１】
本発明は、被記録媒体を移動式ベルトに載置して搬送する搬送機構を備える記録装置に関する。
【背景技術】
【０００２】
従来から、被記録媒体を移動式ベルトに載置して搬送する搬送機構を備える記録装置が使用されている。このような記録装置を用いて被記録媒体に画像を記録する場合、被記録媒体の端部に記録を行う際に該端部からはみ出して移動式ベルトにインクが付着する場合がある。また、被記録媒体として布帛を使用する場合、布帛の表面（画像形成面）からインクが裏面に滲み出して移動式ベルトにインクが付着する場合がある。  
このため、例えば、特許文献１には、被記録媒体の搬送を行う無端ベルトと該無端ベルトの周面が高分子多孔質体からなる拭き取りローラーを具備する洗浄部とを備える記録装置が開示されている。
【０００３】
一方、被記録媒体を移動式ベルトに載置して搬送する搬送機構を備える記録装置に用いられる拭き取りローラー等の洗浄ローラーを具備する洗浄部は、既製品である洗浄ローラーを回転軸方向に連結して構成される場合が多い。このように構成される洗浄部は安価で簡単に作製できるためである。
【先行技術文献】
【特許文献】
【０００４】
【特許文献１】特開平１１−１９２６９４号公報
【発明の概要】
【発明が解決しようとする課題】
【０００５】
しかしながら、上記ように構成される洗浄部は、洗浄ローラー同士の連結部分にインクが残りやすくゴミなどの異物が付着しやすい傾向にある。このため、このようなインクや異物により移動式ベルトの洗浄が不十分になる場合があった。  
なお、特許文献１の記録装置は、洗浄ローラー同士の連結部分のインクや異物等に起因する移動式ベルトの洗浄不良に関する記載はない。
【０００６】
そこで、本発明の目的は、被記録媒体を移動式ベルトに載置して搬送する搬送機構を備える記録装置において移動式ベルトの洗浄を簡単な構成できれいに実行することである。
【課題を解決するための手段】
【０００７】
上記課題を解決するための本発明の第１の態様の記録装置は、被記録媒体を移動式ベルトに載置して搬送する搬送機構と、前記被記録媒体に記録する記録ヘッドと、複数の第１洗浄ローラーが回転軸方向に連結されて構成された第１洗浄ユニットを有する前記移動式ベルトの洗浄機構と、複数の第２洗浄ローラーが前記回転軸方向と沿う方向を回転軸の方向として連結されて構成された第２洗浄ユニットを有する前記第１洗浄ユニットの洗浄機構と、を備え、前記第１洗浄ユニットの洗浄機構は、前記複数の第１洗浄ローラー同士の連結部分に前記第２洗浄ローラーが接触するように配置されていることを特徴とする。
【０００８】
本態様によれば、前記移動式ベルトを洗浄する第１洗浄ユニットの第１洗浄ローラー同士の連結部分を洗浄することが可能な第２洗浄ユニットを有する、前記第１洗浄ユニットの洗浄機構を備えている。このため、このような簡単な構成で、第１洗浄ローラー同士の連結部分にインクや異物の付着等があってもこれらを洗浄することができ、前記移動式ベルトの洗浄が不十分になるということを抑制できる。すなわち、前記移動式ベルトの洗浄を簡単な構成できれいに実行することが可能になる。
【０００９】
本発明の第２の態様の記録装置は、前記第１の態様において、前記第１洗浄ユニットは、前記回転軸方向が前記移動式ベルトの移動方向に対して斜め方向になるように、前記搬送機構に対して配置されていることを特徴とする。
【００１０】
本態様によれば、前記第１洗浄ユニットは、前記回転軸方向が前記移動式ベルトの移動方向に対して斜め方向になるように、前記搬送機構に対して配置されている。このため、前記第１洗浄ユニットは、このような簡単な構成で、洗浄ローラー同士の間隔があっても、前記移動式ベルトの移動の際において、該間隔に起因する該移動式ベルトに対する非接触部分を低減することができる。すなわち、該移動式ベルトの未洗浄部分を低減することができ、該移動式ベルトの洗浄を簡単な構成できれいに実行することが可能になる。
【００１１】
本発明の第３の態様の記録装置は、前記第１又は第２の態様において、前記第１洗浄ユニットは、前記移動式ベルトの移動の際に前記複数の第１洗浄ローラー同士の間隔に起因する該移動式ベルトに対する非接触部分を生じさせない角度で、前記搬送機構に対して配置されていることを特徴とする。
【００１２】
ここで、「前記複数の第１洗浄ローラー同士の間隔に起因する該移動式ベルトに対する非接触部分」とは、前記移動式ベルトの移動の際に、第１洗浄ローラー同士の間隔に起因して、移動式ベルトの移動方向に沿って生ずる、前記第１洗浄ユニットの前記移動式ベルトに対する線状の非接触部分を意味する。  
本態様によれば、前記間隔に起因する該移動式ベルトに対する非接触部分を無くすことができる。すなわち、該移動式ベルトの未洗浄部分を無くすことができ、該移動式ベルトの洗浄を簡単な構成できれいに実行することができる。
【００１３】
本発明の第４の態様の記録装置は、前記第１から第３のいずれか１つの態様において、前記移動式ベルトは、グルーベルトであることを特徴とする。
【００１４】
移動式ベルトとしてグルーベルト（被記録媒体の載置面に該被記録媒体を剥離可能に接着して保持する粘着剤が塗られたベルト）を有する記録装置では、被記録媒体を安定的に支持することが可能になるため、移動式ベルトとしてグルーベルトを好ましく用いることができる。  
グルーベルトは粘着剤が塗られているため、粘着剤が塗られていない移動式ベルトに比べて、前記洗浄ローラーと接触しない部分があると洗浄が不十分となりやすいが、本態様によれば、移動式ベルトとしてグルーベルトを有していてもきれいに洗浄することができる。
【００１５】
本発明の第５の態様の記録装置は、前記第１から第４のいずれか１つの態様において、前記第１洗浄ユニットは、前記移動式ベルトの洗浄の際、前記移動式ベルトのベルト面に沿って前記回転軸方向に移動可能であることを特徴とする。
【００１６】
本態様によれば、前記第１洗浄ユニットは前記移動式ベルトのベルト面に沿って前記回転軸方向に移動可能であるので、前記移動式ベルトに擦り付けることが可能になり、移動式ベルトの洗浄をさらにきれいに実行することができる。特に、前記洗浄ユニットは前記洗浄ローラーを複数有するので、洗浄効果の高い洗浄ローラーの角の部分を前記移動式ベルトに擦り付けることが可能になり、移動式ベルトの洗浄をきれいに実行することができる。さらに、前記第１洗浄ユニットは前記第２洗浄ユニットに対して擦り付けることが可能になり、前記第１洗浄ユニット及び前記第２洗浄ユニットの双方をさらにきれいに洗浄することができる。
【００１７】
本発明の第６の態様の記録装置は、前記第１から第５のいずれか１つの態様において、前記被記録媒体の搬送方向と交差する方向に前記記録ヘッドを往復走査させて記録する記録機構を備え、前記搬送機構は、前記記録ヘッドの往復走査に対応して前記被記録媒体を間欠搬送可能であって、前記第１洗浄ユニットは、前記搬送機構による前記間欠搬送に対応して間欠回転可能であることを特徴とする。
【００１８】
本態様によれば、前記被記録媒体の間欠搬送に対応して、前記被記録媒体の搬送停止時には前記第１洗浄ユニットの回転を停止し、前記被記録媒体の搬送時には前記第１洗浄ユニットを回転させることができる。このため、前記記録ヘッドの記録走査中に前記第１洗浄ユニットが回転することにより生じ得る前記被記録媒体の振動を抑制することができ、該振動に起因する画質の低下を抑制することができる。
【００１９】
本発明の第７の態様の記録装置は、前記第１から第６のいずれか１つの態様において、前記第１洗浄ユニット用の第１洗浄液と、前記第２洗浄ユニット用の第２洗浄液と、を備えることを特徴とする。
【００２０】
本態様によれば、前記移動式ベルトを洗浄可能な第１洗浄ユニットと、該第１洗浄ユニットを洗浄可能な第２洗浄ユニットとで、各々に適した洗浄液を使用することができる。
【００２１】
本発明の第８の態様の記録装置は、前記第７の態様において、前記第１洗浄液は水であり、前記第２洗浄液は水溶性溶剤を含有する水溶液であることを特徴とする。
【００２２】
本態様によれば、前記移動式ベルトに付着したインク等を洗浄するための第１洗浄液として水を使用し、前記第１洗浄ユニットを洗浄するための第２洗浄液として水溶性溶剤を含有する水溶液を使用することができる。このため、溶解性の高い水溶性溶剤を含有する洗浄液を用いて移動式ベルトにダメージを与えるということを抑制しながら、移動式ベルト及び第１洗浄ユニットを洗浄することが可能になる。例えば、移動式ベルトとしてグルーベルトを使用する場合にはグルーベルトのグルー（接着剤）を溶解させてしまうことなくインク等の汚れを洗浄する必要がある。グルーベルトを洗浄するための第１洗浄液として水を用いればグルーを溶解させてしまうことを抑制できる。一方、第１洗浄ユニットに付着した汚れについては、溶解性の高い水溶性溶剤を含有し洗浄力が強い水溶液を用いて洗浄することができる。  
なお、「水溶性溶剤」とは、例えば、１価又は多価のアルコールや界面活性剤、インク組成における着色成分（顔料や染料）を除いた溶媒成分等が該当し、特にその種類に限定はなく、その添加量等についても特に限定されない。
【図面の簡単な説明】
【００２３】
【図１】本発明の実施例１に係る記録装置を表す概略側面図。
【図２】本発明の実施例１に係る記録装置の第１洗浄ユニット及び第２洗浄ユニットの概略断面図。
【図３】本発明の実施例１に係る記録装置を下方から見た第１洗浄ユニット及び第２洗浄ユニットの概略斜視図。
【図４】本発明の実施例２に係る記録装置を下方から見た第１洗浄ユニット及び第２洗浄ユニットの概略斜視図。
【発明を実施するための形態】
【００２４】
［実施例１］（図１〜図３）  
以下に、本発明の実施例に係る記録装置について、添付図面を参照して詳細に説明する。  
最初に、本発明の実施例１に係る記録装置について説明する。  
図１は本発明の実施例１に係る記録装置１の概略斜視図を表している。
【００２５】
本実施例の記録装置１は、記録を行うための被記録媒体ＰのロールＲ１を送り出すことが可能なセット部２を備えている。また、移動式ベルトとしてのグルーベルト１０により被記録媒体Ｐを搬送方向Ａに搬送する搬送機構３を備えている。また、被記録媒体Ｐの搬送方向Ａと交差する走査方向Ｂに記録ヘッド７を往復走査させて記録する記録機構４を備えている。また、グルーベルト１０を洗浄するための第１洗浄ユニット１３を有する第１洗浄機構１５を備えている。また、第１洗浄ユニット１３を洗浄するための第２洗浄ユニット２２を有する第２洗浄機構２５を備えている。さらに、被記録媒体Ｐを巻き取る巻取軸１７と巻き取られている被記録媒体Ｐを切断するカッター１６とを有する巻取機構１８を備えている。
【００２６】
セット部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に送り出すことが可能な構成となっている。なお、被記録媒体Ｐを搬送機構３に送り出す際、回転軸５は回転方向Ｃに回転する。
【００２７】
搬送機構３は、セット部２から送り出された被記録媒体Ｐを載置して搬送するグルーベルト１０と、グルーベルト１０を移動させる搬送ローラー８と従動ローラー９を備えている。なお、被記録媒体Ｐを搬送する際、搬送ローラー８は回転方向Ｃに回転する。
【００２８】
記録機構４は、記録ヘッド７と該記録ヘッド７を搭載する不図示のキャリッジと、該キャリッジを走査方向Ｂに往復移動させる不図示のキャリッジモーターを有している。なお、図１において走査方向Ｂは紙面に対して垂直方向である。  
記録の際、記録ヘッド７を往復走査させて記録するが、記録走査中（記録ヘッドの移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送させている。  
ただし、このような構成の記録装置に限定されず、記録ヘッドとして所謂ラインヘッドを有する記録機構を備える記録装置であってもよい。
【００２９】
第１洗浄機構１５は、複数の第１洗浄ローラー１２が回転軸方向に連結されて構成された第１洗浄ユニット１３と、第１洗浄ユニット１３用の第１洗浄液が入ったトレイ１４と、を有する。また、第１洗浄ユニット１３は、洗浄ユニット１３の回転軸方向Ｄ（図３参照）がグルーベルト１０の移動方向Ｅ（図３参照）に対して斜め方向になるように配置されている。
【００３０】
第２洗浄機構２５は、複数の第２洗浄ローラー２１が回転軸方向に連結されて構成された第２洗浄ユニット２２と、第２洗浄ユニット２２用の第２洗浄液が入ったトレイ２６と、を有する。また、第２洗浄ユニット２２は、その回転軸方向が洗浄ユニット１３の回転軸方向Ｄに沿う方向になるように配置されている。
【００３１】
なお、本実施例において、第１洗浄液は水であり、第２洗浄液はエタノール水溶液である。第１洗浄液及び第２洗浄液に特に限定はないが、第１洗浄液は水であり、第２洗浄液は水溶性溶剤を含有する水溶液であることが好ましい。溶解性の高い水溶性溶剤を含有する洗浄液を用いてグルーベルト１０のような移動式ベルトにダメージを与えるということを抑制しながら、移動式ベルト及び第１洗浄ユニット１３を洗浄することが可能になるためである。特に、本実施例のように、移動式ベルトとしてグルーベルト１０を使用する場合には、グルーベルト１０のグルーを溶解させてしまうことなくインク等の汚れを洗浄する必要がある。グルーベルト１０を洗浄するための洗浄液として水を用いればグルーを溶解させてしまうことを抑制できる。一方、第１洗浄ユニット１３に付着した汚れについては、溶解性の高い水溶性溶剤を含有し洗浄力が強い水溶液を用いて洗浄することができる。  
なお、「水溶性溶剤」とは、例えば、１価又は多価のアルコールや界面活性剤、インク組成における着色成分（顔料や染料）を除いた溶媒成分等が該当し、特にその種類に限定はなく、その添加量等についても特に限定されない。
【００３２】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００３３】
次に、本実施例の記録装置１における第１洗浄ユニット及び第２洗浄ユニットの構成について説明する。  
図２は、本実施例の記録装置１における第１洗浄ユニット１３及び第２洗浄ユニット２２の概略断面図である。
【００３４】
第１洗浄ユニット１３は、複数の第１洗浄ローラー１２が回転軸方向Ｄに連結されて構成されている。第１洗浄ローラー１２は不図示の芯部に通されて固定される支持部１９とフレキシブル材料で構成されるブラシ２０とにより構成されており、隣接する第１洗浄ローラー１２同士の連結部分には間隔Ｓ１が生じている。
【００３５】
第２洗浄ユニット２２は、第１洗浄ユニット１３と同様の構成であって、第２洗浄ローラー２１は不図示の芯部に通されて固定される支持部２３とフレキシブル材料で構成されるブラシ２４とにより構成されている。そして、第１洗浄ローラー１２と第２洗浄ローラー２１とが回転軸方向Ｄに沿ってずれて配置されている。すなわち、第１洗浄ユニット１３の洗浄機構である第２洗浄機構２５は、複数の第１洗浄ローラー１２同士の連結部分に第２洗浄ローラー２１が各々接触するように配置されている。  
このため、このような簡単な構成で、第１洗浄ローラー１２同士の連結部分にインクやゴミなどの異物が付着してもこれを第２洗浄ローラー２１が洗浄することができ、グルーベルト１０の洗浄が不十分になるということを抑制できる。すなわち、グルーベルト１０の洗浄を簡単な構成できれいに実行することが可能になる。
【００３６】
さらに、本実施例の記録装置１は、第１洗浄ローラー１２同士の連結部分（間隔Ｓ１）と第２洗浄ローラー２１同士の連結部分（間隔Ｓ２）とがずれて配置されている。このことにより、第２洗浄ローラー２１同士の連結部分にインクやゴミなどの異物が付着してもこれを第１洗浄ローラー１２が洗浄することもできる構成となっている。
【００３７】
次に、本実施例の記録装置１における第１洗浄ユニット１３及び第２洗浄ユニット２２の搬送機構３に対する配置を説明する。  
図３は、本実施例の記録装置１を下方から見た第１洗浄ユニット１３及び第２洗浄ユニット２２の概略斜視図である。
【００３８】
第１洗浄ユニット１３は、第１洗浄ユニット１３の回転軸方向Ｄがグルーベルト１０の移動方向Ｅに対して斜め方向になるように、搬送機構３に対して配置されている。  
詳細には、回転軸方向Ｄと移動式ベルトの移動方向Ｅとで構成される角度θが、グルーベルト１０の移動の際に間隔Ｓ１に起因する第１洗浄ユニット１３とグルーベルト１０との非接触部分を生じさせない角度となるように、第１洗浄ユニット１３は搬送機構３に対して配置されている。  
本実施例の洗浄ローラー１２のブラシ２０部分は直径２０ｃｍの円柱形であり、第１洗浄ローラー１２同士の間隔Ｓ１は１ｃｍであるが、ｔａｎθが２０（２０ｃｍ／１ｃｍ）より小さくなるように角度θは設定されている。
【００３９】
第１洗浄ユニット１３が搬送機構３に対してこのような配置になっていることにより、間隔Ｓ１に起因するグルーベルト１０に対する非接触部分を無くしている。すなわち、グルーベルト１０の未洗浄部分を無くし、グルーベルト１０の洗浄を簡単な構成できれいに実行可能にしている。  
ただし、このような構成に限定されず、例えば、角度θが９０度になる構成（第１洗浄ユニット１３の回転軸方向Ｄがグルーベルト１０の移動方向Ｅに対して垂直方向の構成）の記録装置も本発明に含まれる。
【００４０】
第２洗浄ユニット２２は、第１洗浄ユニット１３に対して、第１洗浄ローラー１２と第２洗浄ローラー２１とが、回転軸方向Ｄに沿ってずれて配置されている。また、図１で表されるように、第２洗浄ユニット２２は、第１洗浄ユニット１３に対して下方に設けられている。これは、トレイ１３の第１洗浄液中に第２洗浄液が混入させないためである。第１洗浄液は水であり第２洗浄液はエタノール水溶液であるため、トレイ２６の第２洗浄液中に第１洗浄液が混入しても特に問題はない。一方、トレイ１３の第１洗浄液中に第２洗浄液が混入すると、グルーベルト１０のグルーを溶解させてしまうこと等が考えられ、これを抑制している。
【００４１】
また、本実施例の第１洗浄ユニット１３及び第２洗浄ユニット２２は回転方向Ｃにも逆方向にも回転可能である。さらに、被記録媒体Ｐの間欠搬送に対応して、被記録媒体Ｐの搬送停止時には第１洗浄ユニット１３の回転を停止し、被記録媒体Ｐの搬送時には第１洗浄ユニット１３を回転させること（第１洗浄ユニット１３の間欠回転）も可能な構成となっている。このような構成により、記録ヘッド７の記録走査中に第１洗浄ユニット１３が回転することにより生じ得る被記録媒体Ｐの振動を抑制している。
【００４２】
［実施例２］（図４）  
次に、本発明の実施例２に係る記録装置について説明する。  
図４は本発明の実施例２に係る記録装置１を下方から見た第１洗浄ユニット１３及び第２洗浄ユニット２２の概略斜視図を表している。なお、上記実施例と共通する構成部材は同じ符号で示しており、詳細な説明は省略する。
【００４３】
本実施例の記録装置１は、モーター等からなる第１洗浄ユニット１３の移動機構２７を有する点で実施例１の記録装置１と相違する。第１洗浄ユニット１３は、グルーベルト１０の洗浄の際、第１洗浄ユニット１３の移動機構２７により、グルーベルト１０のベルト面に沿って回転軸方向Ｄに往復移動可能である。このため、グルーベルト１０に第１洗浄ユニット１３を擦り付けることが可能になり、グルーベルト１０の洗浄をさらにきれいに実行することができる。特に、第１洗浄ユニット１３は第１洗浄ローラー１２を複数有するので、洗浄効果の高い第１洗浄ローラー１２の角の部分をグルーベルト１０に擦り付けることが可能になり、グルーベルト１０の洗浄をきれいに実行することができる。  
さらに、本実施例の記録装置１は、第１洗浄ユニット１３は第２洗浄ユニット２２に対して擦り付けることが可能になっている。このため、第１洗浄ユニット１３及び第２洗浄ユニット２２の双方をさらにきれいに洗浄することができる構成となっている。
【符号の説明】
【００４４】
１  記録装置、２  セット部、３  搬送機構、４  記録機構、
５  セット部２の回転軸、６  従動ローラー、７  記録ヘッド、８  搬送ローラー、
９  従動ローラー、１０  グルーベルト（移動式ベルト）、１１  従動ローラー、
１２  第１洗浄ローラー、１３  第１洗浄ユニット、１４  トレイ、
１５  第１洗浄機構（移動式ベルトの洗浄機構）、１６  カッター、１７  巻取軸、
１８  巻取機構、１９  支持部、２０  ブラシ、２１  第２洗浄ローラー、
２２  第２洗浄ユニット、２３  支持部、２４  ブラシ、
２５  第２洗浄機構（第１洗浄ユニットの洗浄機構）、２６  トレイ、
２７  第１洗浄ユニットの移動機構、Ｐ  被記録媒体、
Ｓ１、Ｓ２  洗浄ローラー同士の間隔（洗浄ローラー同士の連結部分）
【図１】
2014124571.tif 000003
【図２】
2014124571.tif 000004
【図３】
2014124571.tif 000005
【図４】
2014124571.tif 000006